(57)【要約】【課題】光ファイバを一旦接続してもその接続を解除できる光ケーブル用簡易クロージャを提供する。【解決手段】光ケーブル用簡易クロージャ４０は、筒状のクロージャ筐体４１を備えている。クロージャ筐体４１は、内部に、アダプタ３３を戴置する戴置部４７を有しており、戴置部４７は、クロージャ筐体４１の長手方向略中点付近に形成されている。【選択図】図４
2007212506.tif 000002
【特許請求の範囲】
【請求項１】
第１コネクタ付き光ファイバと第２コネクタ付き光ファイバとの接続箇所を収容する光ケーブル用簡易クロージャであって、
筒状であり、前記第１コネクタ付き光ファイバが挿通可能に封じられた第１端面と前記第２コネクタ付き光ファイバが挿通可能に封じられた第２端面とを有するクロージャ筐体と、
前記クロージャ筐体の内面に設けられ、第１コネクタと第２コネクタとを連結して前記第１コネクタ付き光ファイバと前記第２コネクタ付き光ファイバとを接続するアダプタを戴置する戴置部と
を備えていることを特徴とする光ケーブル用簡易クロージャ。
【請求項２】
請求項１に記載の光ケーブル用簡易クロージャにおいて、
さらに、前記戴置部と前記第１端面とで挟まれた領域内に設けられ、前記第１コネクタ付き光ファイバのファイバ余長を処理する余長処理部を備え、
前記余長処理部には、複数の突起が、各々、前記クロージャ筐体の内面から伸びており、
前記第１コネクタ付き光ファイバは、少なくとも１つの前記突起に掛けられて余長処理されることを特徴とする光ケーブル用簡易クロージャ。
【請求項３】
請求項２に記載の光ケーブル用簡易クロージャにおいて、
前記複数の突起のうちの一部の該突起は、前記第１コネクタ付き光ファイバが前記第１端面に挿通される部分から前記クロージャ筐体の長手方向へ伸びる直線に関して、該複数の突起のうちの残りの該突起とは反対側に配置されていることを特徴とする光ケーブル用簡易クロージャ。
【請求項４】
請求項３に記載の光ケーブル用簡易クロージャにおいて、
隣り合う前記突起が、前記直線に関して、互いに反対側に配置されていることを特徴とする光ケーブル用簡易クロージャ。
【請求項５】
請求項１乃至４のいずれか一つに記載の光ケーブル用簡易クロージャにおいて、
前記クロージャ筐体は、外面に、前記第１コネクタ付き光ファイバ内を伝播する信号をやりとりする第１接続先と前記第２コネクタ付き光ファイバ内を伝播する信号をやりとりする第２接続先とを表示する接続先表示手段を有していることを特徴とする光ケーブル用簡易クロージャ。
【請求項６】
請求項１乃至５のいずれか一つに記載の光ケーブル用簡易クロージャにおいて、
前記クロージャ筐体は、少なくとも前記アダプタを視認可能とする透明部を有していることを特徴とする光ケーブル用簡易クロージャ。
【発明の詳細な説明】
【技術分野】
【０００１】
本発明は、光ケーブル用簡易クロージャに関し、特に、アダプタを介してコネクタ接続された光ファイバの一部が収容可能な光ケーブル用簡易クロージャに関する。
【背景技術】
【０００２】
情報を伝送する方法としては、従来では、マイクロ波中継方式・衛生通信方式などの電気通信による伝送方法が用いられていたが、現在では、大容量の情報を高速に伝送可能な光ファイバ通信による伝送方法が普及しつつある。
【０００３】
光ファイバ通信は、光信号化された情報が光ファイバ内を伝送することにより行われる通信方式である。そのため、電柱間に光ドロップケーブルなどの光ケーブルを架設させて発信元と受信先とを接続することにより、光ファイバ通信による通信を行うことができる。そして、発信元や受信先が新たに増える場合には、既に電柱間に架設されている光ケーブルの端部を光ファイバ部と被覆部とに分離させ、その光ファイバ部と別に用意した光ドロップケーブルの光ケーブル部とを接続し、接続された光ドロップケーブルを発信元または受信先に接続すればよい。
【０００４】
光ファイバ間の接続方法については、例えば、特許文献１及び２等に開示されているように、融着接続方法やメカニカルスプライス接続方法などが用いられる場合が多い。しかし、この接続方法では、例えば、違う光ケーブルと誤って接続させてしまった場合には、接続箇所付近で光ケーブルを切断するなどの方法をとらなければ、正しい光ケーブルと接続させることができない。また、通信上の不具合等が発生した場合であっても、同様に、接続箇所付近を一旦切断してから不具合などの原因を探求しなければならない。以上より、光ドロップケーブル間の接続は解除可能であることが好ましい。
【０００５】
一方、特許文献３には、コネクタ接続された光ドロップケーブルを保護する光ケーブル接続用クロージャが開示されている。光ファイバ同士をコネクタ接続すれば、コネクタ同士の接続状態を解除することにより、光ファイバ間の接続を解除することができる。
【特許文献１】特開２００４−２９４９９号公報
【特許文献２】特開２００４−２１２９１２号公報
【特許文献３】特開２００４−６１７１３号公報
【発明の開示】
【発明が解決しようとする課題】
【０００６】
しかしながら、特許文献３に記載の光ケーブル接続用クロージャでは、ケーブル導入部がクロージャの一端側にしか設置されていない。そのため、第１コネクタ付き光ファイバは、ケーブル導入部から導入されて第１コネクタがアダプタに固定されるのに対して、第２コネクタ付き光ファイバは、ケーブル導入部から導入されて第２コネクタが第１コネクタと対向するようにアダプタに固定される。従って、大がかりな光ファイバ余長処理手段を必要とする。そのため、クロージャの小型化を図ることはできない。
【０００７】
本発明は、かかる点に鑑みてなされたものであり、その目的とするところは、光ファイバ間の接続が解除可能であるクロージャを提供することである。
【課題を解決するための手段】
【０００８】
本発明の光ケーブル用簡易クロージャは、第１コネクタ付き光ファイバと第２コネクタ付き光ファイバとの接続箇所を収容するクロージャである。光ケーブル用簡易クロージャは、筒状であり、第１コネクタ付き光ファイバが挿通可能に封じられた第１端面と第２コネクタ付き光ファイバが挿通可能に封じられた第２端面とを有するクロージャ筐体と、クロージャ筐体の内面に設けられ、第１コネクタと第２コネクタとを連結して第１コネクタ付き光ファイバと第２コネクタ付き光ファイバとを接続するアダプタを戴置する戴置部とを備えている。
【０００９】
このような構成により、光ファイバが光ケーブル用簡易クロージャ内でコネクタ接続されるため、光ファイバ間の接続を容易に解除することができる。
【００１０】
本発明の光ケーブル用簡易クロージャでは、戴置部と第１端面とで挟まれた領域内に設けられ、第１コネクタ付き光ファイバのファイバ余長を処理する余長処理部を更に備えている。そして、余長処理部には、複数の突起が、各々、クロージャ筐体の内面から伸びており、第１コネクタ付き光ファイバは、少なくとも１つの突起に掛けられて余長処理される。このような構成では、余長処理部には複数の突起が設けられており、コネクタ付き光ファイバは複数の突起により余長処理が行われる。そのため、余長処理部の構成は比較的簡便である。よって、光ケーブル用簡易クロージャの小型化を図ることができる。
【００１１】
本発明の光ケーブル用簡易クロージャでは、複数の突起のうちの一部の突起は、第１コネクタ付き光ファイバが第１端面に挿通される部分からクロージャ筐体の長手方向へ伸びる直線に関して、複数の突起のうちの残りの突起とは反対側に配置されていることが好ましく、後述の好ましい実施形態では、隣り合う突起が、直線に関して、互いに反対側に配置されている。
【００１２】
また、本発明の光ケーブル用簡易クロージャでは、クロージャ筐体は、外面に、第１コネクタ付き光ファイバ内を伝播する信号をやりとりする第１接続先と第２コネクタ付き光ファイバ内を伝播する信号をやりとりする第２接続先とを表示する接続先表示手段を有していることが好ましい。このような構成により、光ケーブル用簡易クロージャが電線に吊り下げられた後であっても、電柱に昇ることなく第１接続先及び第２接続先がわかる。
【００１３】
また、本発明の光ケーブル用簡易クロージャでは、クロージャ筐体は、少なくともアダプタを視認可能とする透明部を有していることが好ましい。このような構成により、光ケーブル用簡易クロージャが電線に吊り下げられた後であっても、電柱に昇ることなくアダプタに連結された第１及び第２コネクタの形状や種類がわかる。
【発明の効果】
【００１４】
本発明では、光ファイバ間の接続を容易に解除することができる。
【発明を実施するための最良の形態】
【００１５】
以下、本発明の実施形態を図面に基づいて詳細に説明する。なお、本発明は、以下に示す実施形態に限定されない。
【００１６】
《発明の実施形態１》
実施形態１では、電柱に架設された光ドロップケーブルに取り付けられるクロージャを例に挙げ、図１乃至図５を用いて、第１及び第２光ドロップケーブル１０，２０の構成、光ケーブル用簡易クロージャ４０の構成及び光ケーブル用簡易クロージャ４０の設置方法を示す。なお、以下において、「前方側」とは各図面における左側を意味し、「後方側」とは各図面における右側を意味する。また、「手前側」とは各図面の紙面よりも手前を意味し、「奥側」とは各図面の紙面よりも奥を意味する。
【００１７】
まず、図１を用いて、第１及び第２光ドロップケーブル１０，２０の構成を示す。図１は、第１及び第２光ドロップケーブル１０，２０の横断面図である。
【００１８】
第１及び第２光ドロップケーブル１０，２０は、各々、図１に示すように、第１及び第２ケーブル本体部１１，２１と、第１及び第２支持線部１２，２２と、第１及び第２首部１３，２３とで構成されており、第１及び第２ケーブル本体部１１，２１と第１及び第２支持線部１２，２２とは、各々、互いに長手方向を揃えて、第１及び第２首部１３，２３を介して連結されている。第１及び第２ケーブル本体部１１，２１は、各々、１本の第１及び第２光ファイバ心線１４，２４と、第１及び第２テンションメンバ１５，２５と、第１及び第２共通被覆１６，２６とで構成されている。第１及び第２テンションメンバ１５，２５は、各々、第１及び第２光ファイバ心線１４，２４から所定距離隔てた上下に配置され、第１及び第２ケーブル本体部１１，２１における張力を保つ。第１及び第２共通被覆１６，２６は、各々、第１及び第２光ファイバ心線１４，２４と第１及び第２テンションメンバ１５，２５との外周に施されている。また、第１及び第２支持線部１２，２２は、各々、第１及び第２吊線１７，２７と、第１及び第２被覆１８，２８とで構成されており、第１及び第２吊線１７，２７の外周の各々に第１及び第２被覆１８，２８が施されている。
【００１９】
次に、図２を用いて、光ケーブル用簡易クロージャ４０の使用例を示す。図２は、光ケーブル用簡易クロージャ４０が電線に取り付けられた様子を示す斜視図である。
【００２０】
図２に示すように、第１光ドロップケーブル１０と第２光ドロップケーブル２０とは互いに逆方向に延びて架設されている。第１光ドロップケーブル１０の先端付近では、第１ケーブル本体部１１が第１支持線部１２から分離されており、その分離点には分離防止テープ１が巻かれている。同様に、第２光ドロップケーブル２０の先端付近では、第２ケーブル本体部２１が第２支持線部２２から分離されており、その分離点には分離防止テープ１が巻かれている。また、第１支持線部１２の先端と第２支持線部２２の先端とは、互いに重なり合っており、金具５，５を用いてネジ止めして固定されている。そして、各テープ５よりも分岐点寄りには、光ケーブル用簡易クロージャ４０が吊下具３，３を介して吊り下げられている。
【００２１】
続いて、図２及び図３を用いて、光ケーブル用簡易クロージャ４０の構成を示す。図３は、光ケーブル用簡易クロージャ４０の内部を示す斜視図である。
【００２２】
光ケーブル用簡易クロージャ４０は、図２に示すように、クロージャ筐体４１を備えている。
【００２３】
クロージャ筐体４１の外面には、図２に示すように、接続先表示手段Ａが施されている。接続先表示手段Ａは、第１接続先と第２接続先とを表示する手段である。第１接続先は、第１コネクタ付き光ファイバ１９内を伝播される信号がやりとりを行う先であり、第１コネクタ付き光ファイバ１９は、第１ケーブル本体部１１の端部に第１コネクタ３１が取り付けられてなる。第２接続先は、第２コネクタ付き光ファイバ２９内を伝播される信号がやりとりを行う先であり、第２コネクタ付き光ファイバ２９は、第２ケーブル本体部２１の端部に第２コネクタ３２が取り付けられてなる。例えば、信号が第１接続先から第１及び第２コネクタ付き光ファイバ１９，２９内を伝播して第２接続先へ送信された場合、第１接続先は送信元であり、第２接続先は受信先である。そして、具体的には、クロージャ筐体４１の長手方向略中点よりも前方側のクロージャ筐体４１の外面には第１色が付けられており、クロージャ筐体４１の長手方向略中点よりも後方側のクロージャ筐体４１の外面には第２色がつけられている。これにより、クロージャ筐体４１を開けなくても、光ケーブル用簡易クロージャ４０を視認すれば第１及び第２接続先を知ることができる。
【００２４】
また、クロージャ筐体４１は、図３に示すように、第１部材４２と第２部材４３とを備えている。第１及び第２部材４２，４３は、各々、プラスチック製またはＦＲＰ（fiber reinforced plastics）製等腐食しない材質であり、円筒部材を長手方向に沿って２分して形成されており、互いに長手方向を揃え且つ円筒状を形成するように配置されている。そして、蝶番部４４が、第１部材４２と第２部材４３とを長手方向において連結している。これにより、クロージャ筐体４１は、蝶番部４４を介して開閉自在に形成されており、閉じた状態では円筒状である。また、図２に示すように、前方側の端面（第１端面もしくは第２端面）４１ａには、第１コネクタ付き光ファイバ１９が挿通可能となるように弾性体４５が封じられており、後方側の端面（第２端面もしくは第１端面）４１ｂには、第２コネクタ付き光ファイバ２９が挿通可能となるように弾性体４５が封じられている。
【００２５】
第１部材４２の内面には、図３に示すように、戴置部４７と第１及び第２余長処理部４８，４９が形成されている。
【００２６】
戴置部４７は、第１部材４２の内面であって長手方向略中点に形成されている。後述のように、戴置部４７には、アダプタ３３が戴置される。
【００２７】
第１余長処理部４８は、戴置部４７よりも前方側に形成されており、３本のピン（突起）５１，５２，５３が取り付けられている。以下において、戴置部４７から前方側へ向かう方向に従って、順に、第１ピン５１、第２ピン５２及び第３ピン５３と記す。
【００２８】
第１ピン５１、第２ピン５２及び第３ピン５３は、第１コネクタ付き光ファイバ１９が前方側の端面４１ａに挿通される部分からクロージャ筐体４１の長手方向と略平行に延びる仮想的な直線に関して、互いに反対側に配置されている。具体的には、その仮想的な直線に関して、第１ピン５１は左側に配置され、第２ピン５２は右側に配置され、第３ピン５３は左側に配置されている。
【００２９】
第２余長処理部４９は、戴置部４７よりも後方側に形成されており、３本のピン（突起）５４，５５，５６が取り付けられている。以下において、戴置部４７から後方側へ向かう方向に従って、順に、第４ピン５４、第５ピン５５及び第６ピン５６と記す。
【００３０】
第４ピン５４、第５ピン５５及び第６ピン５６は、第２コネクタ付き光ファイバ２９が後方側の端面４１ｂに挿通される部分からクロージャ筐体４１の長手方向と略平行に延びる仮想的な直線に関して、互いに反対側に配置されている。具体的には、その仮想的な直線に関して、第４ピン５４は右側に配置され、第５ピン５５は左側に配置され、第６ピン５６は右側に配置されている。
【００３１】
第２部材４３には、図２及び図３に示すように、透明部４６が形成されている。透明部４６は、第２部材４３の長手方向中点付近に形成されており、そのため、クロージャ筐体４１を閉じても戴置部４７を視認可能である。すなわち、図２に示すように、透明部４６を通してクロージャ筐体４１の内部を見ればアダプタ３３を見ることができ、その結果、第１及び第２コネクタ３１，３２の形状や種類がわかる。
【００３２】
また、第２部材４３の内面には６本のピン５７，５７，…が取り付けられている。６本のピン５７，５７，…は、各々、クロージャ筐体４１を閉じたときに、頭部が第１から第６ピン５１，５２，…，５５，５６の頭部と当接可能となるように配置されている。
【００３３】
続いて、図４を用いて、光ケーブル用簡易クロージャ４０に第１及び第２コネクタ付き光ファイバ１９，２９が収容された様子を示す。図４は、使用時における光ケーブル用簡易クロージャ４０の内部を示す斜視図である。
【００３４】
アダプタ３３が戴置部４７に戴置されており、第１コネクタ３１が前方側からアダプタ３３に連結され、第２コネクタ３２が後方側からアダプタ３３に連結されている。これにより、第１及び第２コネクタ付き光ファイバ１９，２９は、アダプタ３３を介して互いにコネクタ接続されている。
【００３５】
第１コネクタ付き光ファイバ１９は、第１ピン５１よりも奥側に配置された後、緩やかなカーブを描いて第２ピン５２よりも手前側に配置され、その後、第３ピン５３よりも奥側に配置されて、余長処理されている。同様に、第２コネクタ付き光ファイバ２９は、第４ピン５４よりも手前側に配置された後、緩やかなカーブを描いて第５ピン５５よりも奥側に配置され、その後、第６ピン５６よりも手前側に配置されて、余長処理されている。
【００３６】
続いて、図５を用いて、第１及び第２光ドロップケーブル１０，２０を光ケーブル用簡易クロージャ４０に収容する方法を示す。図５は、第１及び第２光ドロップケーブル１０，２０を光ケーブル用簡易クロージャ４０に収容する方法を示す工程図である。
【００３７】
まず、作業員は、電柱（不図示）に昇る。そして、図５（Ａ）に示すように、第１光ドロップケーブル１０を第１ケーブル本体部１１と第１支持線部１２とに分離させ、第２光ドロップケーブル２０を第２ケーブル本体部２１と第２支持線部２２とに分離させ、各分離点に分離防止テープ１を巻く。そして、第１支持線部１２と第２支持線部２２とを重ね合わせて、金具５，５を用いてネジ止めして固定する。また、第１ケーブル本体部１１の端部から第１光ファイバ心線１４を露出させ、第２ケーブル本体部２１の端部から第２光ファイバ心線２４を露出させる。
【００３８】
次に、図５（Ｂ）に示すように、光ケーブル用簡易クロージャ４０の吊り下げ位置を決め、吊下具３，３を用いて第１及び第２支持線部１２，２２に光ケーブル用簡易クロージャ４０を仮止めする。そして、光ケーブル用簡易クロージャ４０を開ける。
【００３９】
続いて、図５（Ｃ）に示すように、第１光ファイバ心線１４の端部に第１コネクタ３１を装着して第１コネクタ付き光ファイバ１９とし、第２光ファイバ心線２４の端部に第２コネクタ３２を装着して第２コネクタ付き光ファイバ２９とする。そして、第１及び第２コネクタ３１，３２をアダプタ３３に接続して、第１コネクタ付き光ファイバ１９と第２コネクタ付き光ファイバ２９とをコネクタ接続する。
【００４０】
続いて、コネクタ接続された第１及び第２コネクタ付き光ファイバ１９，２９をクロージャ筐体４１に収容する。このとき、アダプタ３３を戴置部４７に戴置する。また、第１及び第２コネクタ付き光ファイバ１９，２９を各々緩やかなカーブを描いてクロージャ筐体４１に収容させる。具体的には、第１コネクタ付き光ファイバ１９を第１ピン５１よりも奥側に配置して、緩やかなカーブを描いて第２ピン５２よりも手前側に配置して、その後、第３ピン５３よりも奥側に配置する。また、第２コネクタ付き光ファイバ２９を第４ピン５４よりも手前側に配置して、緩やかなカーブを描いて第５ピン５５よりも奥側に配置して、その後、第６ピン５６よりも手前側に配置する。これにより、図４に示すように、第１及び第２コネクタ付き光ファイバ１９，２９をクロージャ筐体４１に収容することができる。
【００４１】
続いて、不図示であるが、クロージャ筐体４１を閉じてクロージャ筐体４１の端面４１ａ，４１ｂに弾性体４５，４５を圧入して、空気中の粉塵等がクロージャ筐体４１内に混入されてしまうことを阻止する。そして、第１及び第２支持線部１２，２２にクロージャ筐体４１を固定する。これにより、光ケーブル用簡易クロージャ４０を第１及び第２支持線部１２，２２に吊り下げることができる。
【００４２】
以上より、本実施形態の光ケーブル用簡易クロージャ４０は、第１及び第２余長処理部４８，４９を備えており、第１及び第２余長処理部４８，４９には、各々、３本のピン５１〜５３，５４〜５６が上述のように配置されている。そのため、第１コネクタ付き光ファイバ１９は、第１から第３ピン５１，５２，５３を介して緩やかなカーブを描くように収容されて余長処理され、第２コネクタ付き光ファイバ２９は、第４から第６ピン５４，５５，５６を介して緩やかなカーブを描くように収容されて余長処理される。そのため、第１及び第２コネクタ付き光ファイバ１９，２９の余長処理を比較的簡便に行うことができる。また、第１及び第２余長処理部４８，４９には各々３本のピン５１〜５３，５４〜５６が設けられているだけであるため、第１及び第２余長処理部４８，４９を設けるために大きなスペースを必要とすることはなく、その結果、光ケーブル用簡易クロージャ４０の小型化を図ることができる。
【００４３】
また、第２部材４３に設けられた６本のピン５７，５７，…の頭部は、各々、光ケーブル用簡易クロージャ４０が閉じられた状態において、第１部材４２に設けられた６本のピン５１，５２，…，５５，５６の頭部と当接されるように配置されている。これにより、第１部材４２を第２部材４３に密着させてクロージャ筐体４１を閉じておくことができる。
【００４４】
また、光ケーブル用簡易クロージャ４０は戴置部４７を備えているため、第１コネクタ付き光ファイバ１９と第２コネクタ付き光ファイバ２９とをコネクタ接続することができる。そのため、光ファイバ接続の解離を容易に行うことができる。これにより、誤って異なる光ファイバ心線と接続させてしまった場合であっても、その接続を解除して正しい光ファイバ心線と接続させることができる。また、光通信等に不具合が生じた場合に、その接続を解除して各光ファイバ心線における通信異常を調べることができる。また、特に、ユーザ宅内に入所することなく不具合箇所の判定が容易にできるため、迅速に異常箇所を特定できる。また、ユーザの要望等により通信事業者を変更する場合、ユーザ宅内の光ファイバを張り替えることなく通信事業者の変更を行うことができ、容易に通信事業者の変更を行うことができる。
【００４５】
また、第１及び第２コネクタ３１，３２は、各々、アダプタ３３に連結されているため、形状が異なってもアダプタ３３を介して連結可能であるとともに、クロージャ筐体４１内でがたつくことなく収容される。
【００４６】
また、クロージャ筐体４１の外面には、接続先表示手段Ａ及び透明部４６が形成されている。そのため、図２に示すように、第１及び第２支持線部１２，２２に吊り下げられた後であっても、光ファイバの接続先やコネクタ３１，３２の種類及び形状等を視認することができ、電柱に昇ってクロージャ筐体４１を開けることなく光ファイバの接続先やコネクタ３１，３２の種類及び形状等を視認できる。そのため、作業効率の向上を図ることができる。
【００４７】
また、クロージャ筐体４１は、蝶番部４４を介して開閉自在に形成されている。そのため、支持部材などを用いることなく、クロージャ筐体４１の開状態を維持することができ、作業時間の短縮を図ることができる。
【００４８】
また、クロージャ筐体４１の端面４１ａ，４１ｂには、弾性体４５，４５が圧入されている。そのため、空気中の水分や粉塵がクロージャ筐体４１内へ侵入してしまうことを阻止できる。
【００４９】
《発明の実施形態２》
実施形態２では、図６を用いて、光ケーブル用簡易クロージャ７０の構成を示す。図６は、光ケーブル用簡易クロージャ７０の内部を示す斜視図である。なお、本実施形態の光ケーブル用簡易クロージャ７０では、ピンが取り付けられているのではなく、第１余長処理部７８に第１溝８１が形成され、第２余長処理部７９に第２溝８２が形成されている。
【００５０】
図６に示すように、第１溝８１は第１余長処理部７８に蛇行して形成されており、第２溝８２は第２余長処理部８９に蛇行して形成されている。これにより、光ケーブル用簡易クロージャ７０は、上記実施形態１の光ケーブル用簡易クロージャ４０と同様に、第１及び第２コネクタ付き光ファイバ１９，２９に対して余長処理を施して収容可能に形成されている。
【００５１】
《その他の実施形態》
本発明は、上記実施形態１について、以下のような構成としてもよい。
【００５２】
クロージャ筐体４１は、円筒状であるとしたが、筒状であれば外形には限定されない。
【００５３】
接続先表示手段Ａは、クロージャ筐体４１の外面に異なる色が付けられているとしたが、この手法に限定されない。例えば、光ケーブル用簡易クロージャ４０の外面に、第１発信元や第２発信元を表す文字が記載されていてもよく、光ケーブル用簡易クロージャ４０を電線に吊り下げた後に地面から光ケーブル用簡易クロージャ４０を視認したときに発信元がわかれば、光ケーブル用簡易クロージャ４０を開けることなく発信元がわかるため好ましい。
【００５４】
第１及び第２余長処理部４８，４９には、各々、３本のピン５１〜５３，５４〜５６が取り付けられているとしたが、ピンに限定されることはなく、第１部材４２の内面から延びてなる突起であればよい。また、ピン５１，５２，…，５５，５６の配置、形状及び本数が限定されないのは言うまでもない。また、第１及び第２コネクタ付き光ファイバ１９，２９の余長処理を行わないピン（ダミーピン）が設けられていてもよい。
【００５５】
アダプタ３３は、第１部材４２の戴置部４７に戴置するとしたが、第１部材４２に予め接着固定されていてもよい。すなわち、光ケーブル用簡易クロージャ４０は、アダプタ付きクロージャであってもよい。
【００５６】
第１及び第２光ドロップケーブル１０，２０を光ケーブル用簡易クロージャ４０に収容する際、第１及び第２支持線部１２，２２に光ケーブル用簡易クロージャ４０を仮止め後、コネクタ接続された第１及び第２コネクタ付き光ファイバ１９，２９をクロージャ筐体４１に収容するとしたが、逆の手順であってもよい。すなわち、コネクタ接続された第１及び第２コネクタ付き光ファイバ１９，２９をクロージャ筐体４１に収容後、第１及び第２支持線部１２，２２に光ケーブル用簡易クロージャ４０を取り付けてもよい。
【００５７】
本発明は、上記実施形態２について、以下のような構成としてもよい。
【００５８】
第１及び第２溝８１，８２は、各々、図６に示す形状に限定されず、少なくともカーブ部分が形成されていてなる溝であってもよい。
【産業上の利用可能性】
【００５９】
以上説明したように、本発明は、光ケーブル用簡易クロージャについて有用であり、特に、アダプタを介してコネクタ接続されたコネクタ付き光ファイバの一部が収容されるクロージャについて有用である。
【図面の簡単な説明】
【００６０】
【図１】光ドロップケーブルの横断面である。
【図２】光ケーブル用簡易クロージャが支持線部に取り付けられた様子を示す斜視図である。
【図３】実施形態１における光ケーブル用簡易クロージャ４０の内部を示す斜視図である。
【図４】実施形態１における光ケーブル用簡易クロージャ４０の内部に第１及び第２コネクタ付き光ファイバ１９，２９が収容された様子を示す斜視図である。
【図５Ａ】光ケーブル用簡易クロージャを支持線部に取り付ける方法の１工程を示す図である。
【図５Ｂ】光ケーブル用簡易クロージャを支持線部に取り付ける方法の１工程を示す図である。
【図５Ｃ】光ケーブル用簡易クロージャを支持線部に取り付ける方法の１工程を示す図である。
【図６】実施形態２における光ケーブル用簡易クロージャ７０の内部を示す斜視図である。
【符号の説明】
【００６１】
１９    第１コネクタ付き光ファイバ
２９    第２コネクタ付き光ファイバ
３１    第１コネクタ
３２    第２コネクタ
３３    アダプタ
４０，７０    光ケーブル用簡易クロージャ
４１，７１    クロージャ筐体
４１ａ    前方側の端面
４１ｂ    後方側の端面
４６    透明部
４７    戴置部
４８，７８    第１余長処理部
４９，７９    第２余長処理部
５１，５２，…，５５，５６    ピン（突起）
Ａ    接続先表示手段
【図１】
2007212506.tif 000003
【図２】
2007212506.tif 000004
【図３】
2007212506.tif 000005
【図４】
2007212506.tif 000006
【図５Ａ】
2007212506.tif 000007
【図５Ｂ】
2007212506.tif 000008
【図５Ｃ】
2007212506.tif 000009
【図６】
2007212506.tif 000010